(57)【要約】【課題】印刷機のインキング装置に関し、印刷速度等に応じたインキの除湿要求に対して適切な程度にインキを除湿することができるようにする。【解決手段】インキローラ群のうちの複数のインキローラに囲まれた空間に配置されて、該空間内の湿度を調整する湿度調整ファン２１をそなえ、湿度調整ファン２１は、インキローラ群の回転速度に応じて回転する回転軸２５の外側に、周囲に空気を送風する翼であって、回転軸２５の回転速度に応じてピッチ（翼の角度）が変化する可変ピッチ翼２７を有するように構成する。【選択図】図１
2009202486.tif 000002
【特許請求の範囲】
【請求項１】
インキローラ群を有する印刷機のインキング装置において、
前記インキローラ群のうちの複数のインキローラに囲まれた空間に配置されて、該空間内の湿度を調整する湿度調整装置をそなえている
ことを特徴とする、印刷機のインキング装置。
【請求項２】
前記湿度調整装置は、湿度調整ファンをそなえ、
前記湿度調整ファンは、前記インキローラ群の回転速度に応じて回転する回転軸の外側に、周囲に空気を送風する翼であって、前記回転軸の回転速度に応じてピッチが変化する可変ピッチ翼を有している
ことを特徴とする、請求項１記載の印刷機のインキング装置。
【請求項３】
前記可変ピッチ翼は、前記回転軸に結合された支持体にピッチ可変に枢支されると共に、前記ピッチを小さくする方向にバネにより付勢され、前記回転軸の回転によって生じる遠心力で前記可変ピッチ翼の前記ピッチが大きくなるように前記枢支点が配置されている
ことを特徴とする、請求項２記載の印刷機のインキング装置。
【請求項４】
湿度調整ファンをそなえ、
前記湿度調整ファンは、前記インキローラ群の回転速度に応じて回転する回転軸に対して変速装置を介して回転駆動され、前記変速装置を該空間内の湿度の状態に基づいて制御可能に構成されている
ことを特徴とする、請求項１記載の印刷機のインキング装置。
【請求項５】
前記変速装置は、無段変速機である
ことを特徴とする、請求項４記載の印刷機のインキング装置。
【請求項６】
前記湿度調整装置は、インキローラ群のうちの何れかのインキローラの温度を上昇させて前記インキローラの周囲の湿度を調整するインキローラ昇温装置をそなえている
ことを特徴とする、請求項１記載の印刷機のインキング装置。
【請求項７】
前記インキローラ昇温装置は、前記インキローラの内部に温水を通水する通水機構により構成されている
ことを特徴とする、請求項６記載の印刷機のインキング装置。
【請求項８】
前記インキローラ昇温装置は、前記インキローラを軸方向に揺動させることで接触する他のインキローラとの間に熱を発生させる揺動機構により構成されている
ことを特徴とする、請求項６記載の印刷機のインキング装置。
【請求項９】
前記湿度調整装置は、湿度調整ファンをそなえ、
前記湿度調整ファンは、前記インキローラ群の回転速度に応じて回転する回転軸の外側に、周囲に空気を送風する翼を有すると共に、前記翼の内側に中空部を有し、前記湿度調整ファンの端部に、前記中空部内に空気を送風する送風ファンを有している
ことを特徴とする、請求項１記載の印刷機のインキング装置。
【発明の詳細な説明】
【技術分野】
【０００１】
本発明は、インキローラ群のうちの複数のインキローラ部分の湿度を調整する装置をそなえた、印刷機のインキング装置に関する。
【背景技術】
【０００２】
輪転印刷機や枚葉印刷機といった印刷機では、インキ壷等のインキ供給源から多数のインキローラからなるインキローラ群を有するインキング装置を介して版胴に装着された刷版にインキを供給する。
このようなインキング装置において、インキを適正な状態に管理しながら、刷版に供給することが印刷品質を確保するうえで重要である。
【０００３】
例えば、特許文献１には、インキローラ上のインキ温度を最適温度に安定、維持させる技術が提案されている。
【特許文献１】特開平８−１９１８号公報
【発明の開示】
【発明が解決しようとする課題】
【０００４】
ところで、インキの供給時には、インキの温度だけでなく湿度も管理したい。
つまり、通常、版胴の近くには湿し装置が備えられ、インキの供給時には、この湿し装置から湿しローラを介して湿し水も刷版に供給される。したがって、インキがインキ供給源からインキローラ群を介して刷版に移動する際に、この湿し水の影響により、刷版の近くのインキローラ上ではインキの湿度が過剰になりやすくなる。
【０００５】
インキの湿度が過剰に高くなると、印刷後の印刷物のインキの乾燥に時間がかかり、乾燥不足のまま次工程に送られて、本来インキが付着してはならない印刷物の非印刷部や印刷装置の周囲にインキが付着するなどの不具合を招く。一方、インキの湿度が過剰に低くなると、インキの粘性が高まり印刷物へのインキ転写が円滑に行なわれなくなったり、また、湿し水供給量とのバランスも保ち難くなったりして、印刷品質に悪影響が及ぶおそれがある。
【０００６】
そこで、このようなインキローラの周面のインキを適度な乾燥状態に保つ乾燥装置を装備することが考えられる。
さらには、通常、印刷速度が高くなるほど、湿しローラの回転速度も高まるので、刷版の近くのインキローラ上のインキの湿度がより高くなりやすい。このような観点から、版胴やインキローラをはじめとした印刷機の速度に対応させて、乾燥効果の上昇する乾燥装置を装備すればよい。
【０００７】
具体的には、印刷機に連動して回転する除湿ファンを設ければ、印刷機の速度が上昇するに伴って除湿ファンの回転速度も高まってその除湿効果も高まるので、印刷速度が高くなるほど高まる除湿要求に答えることができる。
しかし、必ずしも、印刷速度に応じた除湿要求と、印刷速度に応じて変化する除湿ファンの除湿効果とが対応するとは限らない。
【０００８】
例えば、単純に、除湿ファンを印刷機に連動させて回転させるように構成すると、印刷機の低速運転時には除湿ファンによる除湿が除湿要求に答えられるものの、印刷機の高速運転時には除湿ファンによる除湿効果の増大が除湿要求の増大に答えられなくなる場合が多い。逆に、印刷機の高速運転時に除湿ファンによる除湿効果が除湿要求に答えられるように設定すれば、印刷機の低速運転時には除湿ファンによる除湿が過剰になりやすい。
【０００９】
もちろん、インキの除湿要求は印刷機の運転速度だけに依存するものではないが、一般に、印刷機の運転速度への関連が強いものと考えられる。
本発明はこのような課題に鑑み案出されたもので、印刷速度等に応じたインキの除湿要求に対して適切な程度にインキを除湿することを可能にした、印刷機のインキング装置を提供することを目的とする。
【課題を解決するための手段】
【００１０】
上記目標を達成するため、本発明の第１の印刷機のインキング装置は、インキローラ群を有する印刷機のインキング装置において、前記インキローラ群のうちの複数のインキローラに囲まれた空間に配置されて、該空間内の湿度を調整する湿度調整装置をそなえていることを特徴としている（請求項１）。
前記湿度調整装置は、湿度調整ファンをそなえ、前記湿度調整ファンは、前記インキローラ群の回転速度に応じて回転する回転軸の外側に、周囲に空気を送風する翼であって、前記回転軸の回転速度に応じてピッチ（翼の角度）が変化する可変ピッチ翼を有していることが好ましい（請求項２）。
【００１１】
前記可変ピッチ翼は、前記回転軸に結合された支持体にピッチ可変に枢支されると共に、前記ピッチを小さくする方向にバネにより付勢され、前記回転軸の回転によって生じる遠心力で前記可変ピッチ翼の前記ピッチが大きくなるように前記枢支点が配置されていることが好ましい（請求項３）。
また、前記湿度調整装置は、湿度調整ファンをそなえ、前記湿度調整ファンは、前記インキローラ群の回転速度に応じて回転する回転軸に対して変速装置を介して回転駆動され、前記変速装置を該空間内の湿度の状態に基づいて制御可能に構成されていることも好ましい（請求項４）。
【００１２】
前記変速装置は、無段変速機であることが好ましい（請求項５）。
また、前記湿度調整装置は、前記インキローラ群のうちの何れかのインキローラの温度を上昇させて前記インキローラの周囲の湿度を調整するインキローラ昇温装置をそなえていることも好ましい（請求項６）。
前記インキローラ昇温装置は、前記インキローラの内部に温水を通水する通水機構により構成されていることが好ましい（請求項７）。
【００１３】
前記インキローラ昇温装置は、前記インキローラを軸方向に揺動させることで接触する他のインキローラとの間に熱を発生させる揺動機構により構成されていることも好ましい（請求項８）。
さらに、前記湿度調整装置は、湿度調整ファンをそなえ、前記湿度調整ファンは、前記インキローラ群の回転速度に応じて回転する回転軸の外側に、周囲に空気を送風する翼を有すると共に、前記翼の内側に中空部を有し、前記湿度調整ファンの端部に、前記中空部内に空気を送風する送風ファンを有していることも好ましい（請求項９）。
【発明の効果】
【００１４】
本発明の印刷機のインキング装置（請求項１）によれば、湿度調整装置により、インキの除湿要求に対して適切な程度にインキを除湿することが可能になる。
本発明の印刷機のインキング装置（請求項２）によれば、複数のインキローラに囲まれた空間内の湿度を調整する湿度調整ファンにおいて、インキローラ群の回転速度に応じて回転する回転軸に設けられた翼が、回転軸の回転速度に応じてピッチ（翼の角度）が変化する可変ピッチ翼なので、印刷機の運転速度に対応する湿度調整ファンの回転軸の回転速度だけでなく、翼のピッチの変化によっても湿度調整ファンの出力が変化し、空間内の湿度の調整度合いをより綿密に変化させることが可能になる。したがって、印刷速度等に応じたインキの除湿要求に対して適切な程度にインキを除湿することが可能になる。
【００１５】
この場合、可変ピッチ翼の枢支点の配置、及び、ピッチを小さくする方向に翼を付勢するバネの設置により、回転軸の回転によって生じる遠心力で翼のピッチが大きくなるようにすれば、印刷速度等に応じたインキの除湿要求に対して適切な程度にインキを除湿することが可能になる（請求項３）。
本発明の印刷機のインキング装置（請求項４）によれば、湿度調整ファンがインキローラ群の回転速度に応じて回転する回転軸に対して変速装置を介して回転駆動されるので、変速装置の変速非を調整することで、複数のインキローラに囲まれた空間内の湿度の調整度合いをより綿密に変化させることが可能になる。したがって、印刷速度等に応じたインキの除湿要求に対して適切な程度にインキを除湿することが可能になる。
【００１６】
この場合、変速装置を無段変速機とすれば、空間内の湿度の調整度合いを一層綿密に変化させることが可能になる（請求項５）。
本発明の印刷機のインキング装置（請求項６）によれば、インキローラ群のうちの何れかのインキローラにそなえられたインキローラ昇温装置によって、インキローラの温度が上昇してインキローラの周囲の湿度を調整するので、インキローラ昇温装置の作動を調整することで、インキローラの周囲の湿度の調整度合いをより綿密に変化させることが可能になる。したがって、印刷速度等に応じたインキの除湿要求に対して適切な程度にインキを除湿することが可能になる。
【００１７】
この場合、インキローラ昇温装置をインキローラの内部に温水を通水する通水機構により構成すれば、通水する温水の温度や、通水量（単位時間当たりの量）の調整を通じて、インキローラ昇温の程度、従って、湿度を調整する程度を、確実に調整することが容易になる（請求項７）。
また、インキローラ昇温装置は、インキローラを軸方向に揺動させることで接触する他のインキローラとの間に熱を発生させる揺動機構により構成すれば、簡素な構成で、インキローラの周囲の湿度を調整することが可能になる（請求項８）。
【００１８】
本発明の印刷機のインキング装置（請求項９）によれば、複数のインキローラに囲まれた空間内の湿度を調整する湿度調整ファンの中空部内に、湿度調整ファンの端部に設けられた送風ファンにより空気を送風することによって、印刷機の運転速度に対応する湿度調整ファンの回転軸の回転速度だけでなく、翼のピッチの変化によっても湿度調整ファンの出力が変化し、空間内の湿度の調整度合いをより綿密に変化させることが可能になる。したがって、印刷速度等に応じたインキの除湿要求に対して適切な程度にインキを除湿することが可能になる。
【発明を実施するための最良の形態】
【００１９】
以下、図面により、本発明の実施の形態について説明する。
［第１実施形態］
まず、本発明の第１実施形態について図面に基づいて説明する。
図１〜図３は本発明の第１実施形態に係る印刷機のインキング装置を説明するもので、これらの図に基づいて説明する。
【００２０】
まず、インキング装置を備えた印刷機の印刷ユニット内の要部を説明すると、図２に示すように、版胴１の周囲に、湿し装置（湿し水供給装置）２及びインキング装置（インキ供給装置）３がそなえられる。
インキング装置３は、上流から、インキ元ローラ１０，インキキー１１，及び図示しない側板で区画形成されたインキ供給源としてのインキ壷８と、インキ呼出ローラ１７と、インキローラ群９と、インキ着けローラ１２とをそなえている。
【００２１】
インキ壷８では、内部に貯留されたインキを、底部に印刷幅方向に複数並んで備えられた各インキキー１１とインキ元ローラ１０との隙間からインキ元ローラ１０の外周面に供給し、さらに、インキローラ群９の最上流のインキローラ１６とインキ元ローラ１０との間を往復動するインキ呼出ローラ１７によって、インキローラ群９に供給される。
インキローラ群９には、多数のインキローラ１３〜１６，１８〜２０があり、このうち一部のインキローラは軸方向に揺動しながら、インキを練って下流側に送るようになっている。最終的に版胴１の周囲に複数（ここでは、４つ）配設されたインキ着けローラ１２から版胴１の外周に装着された刷版表面１ａにインキが供給されるようになっている。
【００２２】
一方、湿し装置２は、水舟４内の湿し水が、下部が水舟４内に浸っている水元ローラ５と、この水元ローラ５に接触する水練りローラ６と、この水練りローラ６に接触する水着けローラ７とを介して、版胴１の刷版表面１ａに供給されるようになっている。
なお、版胴１の刷版表面１ａには、図示しないブランケット胴外周のブランケットが接触しており、印刷物（印刷用紙）へのインキの転写は、刷版表面１ａからインキを受け渡されたブランケットの表面から行なわれる。
【００２３】
また、版胴１，ブランケット胴，インキローラ群９の各インキローラ，湿し装置２の各ローラの多くは、通常、印刷速度に応じた回転速度で回転する。
このように、インキング装置３のうちの版胴１に近い、従って、湿し装置２に近いインキローラ１３〜１５等の表面に付着しているインキは、インキ壷８からここに到達するまでの移動過程で水分が加わる上に、湿し装置２からの加湿環境におかれていることから、湿度が高くなりやすい。
【００２４】
そこで、これらのインキローラ１３〜１５に囲まれた空間には、この空間内の湿度を調整する湿度調整ファン（除湿ファン）２１が装備されている。
この湿度調整ファン２１は、図１（ａ）〜（ｃ）に示すように、インキローラと同様なローラ状に形成され、回転軸２５の両端にステー２４を介して備えられたホイール状支持部材２３，２３に、各両端部を支持された可変ピッチ翼２７が複数並んで備えられている。回転軸２５は、版胴１，ブランケット胴，インキローラ群９の各インキローラ，湿し装置２の各ローラ等と共に、印刷速度に応じた回転速度（例えば、版胴１と等速、或いは、版胴１の回転速度に比例した速度）で回転する。したがって、回転軸２５は、これらの印刷機の各回転部材と同一の回転駆動源を利用して回転させることができ、本実施形態では、このような印刷機の回転部材の回転駆動源を利用しているものとする。
【００２５】
各可変ピッチ翼２７は、その両端を、ピン２８を通じて支持部材２３に対して翼角度αを変更可能に枢着されている。ただし、各翼２７に備えられたピン部２９ａと支持部材２３に備えられたピン部２９ｂとの間には、バネ２９が圧縮状態で装備されており、バネ２９が翼２７をピッチ（翼角度）αが小さくなる方向に付勢している。また、ピン２８は翼２７の側面視［図１（ｂ），（ｃ）］における重心Ｇよりも回転軸２５側に配置されている。
【００２６】
したがって、湿度調整ファン２１の回転軸２５が回転（回転方向Ｒ）すると、各翼２７はその外周側に空気流を発生させるが、この空気流は、各翼２７の回転速度が高いほど、また、ピッチαが大きくなるほど（もちろん、α＜９０度）、強くなる。バネ２９で翼角度αが小さくなる方向に付勢されている翼２７は、その枢支点であるピン２８が側面視重心Ｇよりも回転軸２５側に配置されているので、翼２７の回転速度が強まって、翼２７に生じる遠心力ｆｃが大きくなるのにしたがって、遠心力ｆｃがバネ２９の付勢力に打ち勝って翼２７のピッチαを増大させるようになっている。
【００２７】
本発明の第１実施形態にかかる印刷機のインキング装置は上述のように構成されているので、印刷機の運転速度に対応する湿度調整ファン２１の回転軸２５の回転速度が変化するのに加えて、回転軸２５の回転速度に応じて翼２７のピッチαも変化する。例えば印刷機の運転速度が高まり、これに対応する湿度調整ファンの回転軸２５の回転速度が高まると、翼２７の速度が高まることから、図３に実線で示すように、翼２７からその外周方向に発生する風量（風速）が増大する。本湿度調整ファン２１の場合、これに加えて、回転軸２５の回転速度が高まると遠心力ｆｃにより翼２７のピッチαが増大することによっても、翼２７からその外周方向に発生する風量（風速）が増大するため、図３に破線で示すような特性で、湿度を調整するための風量（風速）が増大することになる。
【００２８】
したがって、印刷機の低速運転時に湿度調整ファン２１による除湿が除湿要求に対応した比較的除湿効果を抑えたもの［つまり、風量（風速）を抑えたもの］に設定しながら、印刷機の高速運転時には、湿度調整ファン２１による除湿効果がピッチαの増大による風量（風速）の増加分だけ高まることから、印刷機の高速運転時に高まる除湿要求に十分に答えることができるようになる。
【００２９】
このため、インキの湿度を常に最適な状態に管理できるようになり、良好な印刷品質を確保することができる。
特に、本実施形態では、翼２７の重心に対する枢支点２８の配置と翼２７を付勢するバネ２９の設置によって、極めて簡素な構成で、しかも、ピッチαを変更するための特別な駆動源を設けずに、所望の除湿効果を得られる点が特徴的である。
ただし、ピッチαを変更する機構は、本実施形態のものに限定されない。アクチュエータによってピッチαを変更するようにしてもよい。
【００３０】
［第２実施形態］
次に、本発明の第２実施形態について図面に基づいて説明する。
図４は本発明の第２実施形態に係る印刷機のインキング装置を説明するもので、この図に基づいて説明する。
【００３１】
なお、本実施形態でも、インキング装置を備えた印刷機の印刷ユニット内の要部は、図２に示すように構成されるので、ここでは説明を省略する。
また、本実施形態でも、インキローラ１３〜１５（図２参照）に囲まれた空間に、この空間内の湿度を調整する湿度調整ファン（除湿ファン）２１Ａが装備されている。
本実施形態の湿度調整ファン２１Ａは、第１実施形態の湿度調整ファン２１において、翼２７Ａを可変ピッチ翼２７でなく固定翼としている点が相違する。
【００３２】
つまり、湿度調整ファン２１Ａは、図４に示すように、インキローラと同様なローラ状に形成され、回転軸２５の両端にステー２４を介して備えられたホイール状支持部材２３，２３に、各両端部を支持された固定翼２７Ａが複数並んで備えられている。
回転軸２５は、変速機３０を介して、版胴１，ブランケット胴，インキローラ群９の各インキローラ，湿し装置２の各ローラ等と共に、印刷速度に応じた回転速度（例えば、版胴１と等速、或いは、版胴１の回転速度に比例した速度）で回転する回転軸３４に接続されている。本実施形態でも、回転軸３４の回転には、印刷機の何れかの回転部材の回転駆動源を利用しているものとする。
【００３３】
そして、回転軸２５と回転軸３４との間に設けられた変速機３０は、本実施形態では、ベルト式無段変速機が採用されている。このベルト式無段変速機３０は、回転軸２５と回転軸３４とにそれぞれ装備された外径可変のプーリ装置３１，３２と、両プーリ装置３１，３２間に掛け渡されたベルトとをそなえて構成される。各プーリ装置３１，３２は、対向する固定シーブと回転軸方向に移動可能な可動シーブとをそなえ、油圧等を用いて可動シーブを移動させることで、各プーリの有効径を変更し、回転軸２５と回転軸３４との間の速度比を連続的に変更することができる。
【００３４】
なお、図示しないが、無段変速機３０の変速比は、除湿要求情報に応じてコントローラによって制御されるものとする。
本発明の第２実施形態にかかる印刷機のインキング装置は上述のように構成されているので、回転軸３４を印刷速度に応じた回転速度で回転するようにしながらも、ベルト式無段変速機３０によって変速比を適宜変更しながら、回転軸２５の回転速度は自由に変更することができるので、印刷速度の割に除湿要求が高ければ、図４（ｂ）に示すように変速比を上げて、回転軸２５の回転速度を高め、翼２７からその外周方向に発生する風量（風速）を増大させることができ、印刷速度の割に除湿要求が低ければ、図４（ａ）に示すように変速比を下げて、回転軸２５の回転速度を低め、翼２７からその外周方向に発生する風量（風速）を低減させることができる。
【００３５】
このため、インキの湿度を常に最適な状態に管理できるようになり、良好な印刷品質を確保することができる。
特に、本実施形態では、無段変速機３０によって変速を行なっているため、翼２７の回転速度、つまり、翼２７から外周方向に発生する風量（風速）を自由に調整することができ、湿度の調整度合いをより綿密に変化させることが可能である。
ただし、無段変速機３０としては、トロイダル式など他のタイプを採用してもよく、また、有段変速機を採用してもよい。
【００３６】
［第３実施形態］
次に、本発明の第３実施形態について図面に基づいて説明する。
図５は本発明の第３実施形態に係る印刷機のインキング装置を説明するもので、この図に基づいて説明する。
【００３７】
なお、本実施形態でも、インキング装置を備えた印刷機の印刷ユニット内の要部は、図２に示すように構成されるので、ここでは説明を省略する。
また、本実施形態では、インキローラ１３〜１５（図２参照）の何れかあるいは全てについて湿度調整の対策としてインキローラ昇温装置が装備されている。
つまり、図５に示すように、本実施形態では、適宜のインキローラ、例えば、インキローラ１３〜１５の何れかあるいは全てに（ここでは、インキローラ１５を対象に説明する）、ローラ内に温水を通水する通水構造（図示略）がそなえられ、外部の温水給排装置（図示略）を通じて、ローラ内を温水が循環し、ローラ表面を昇温せしめるようにインキローラ昇温装置が構成されている。
【００３８】
なお、ローラ表面を昇温させるほど湿度を抑制することができるが、ローラ表面を昇温する度合いは、通水量（単位時間当たり）と通水する温水の温度で変更できる。そこで、ここでは、図示しないが、通水量及び温水の何れかまたは両方を変更することで、インキローラ表面の温度状態を変更し、湿度抑制効果を調整するようにしている。
本発明の第３実施形態にかかる印刷機のインキング装置は上述のように構成されているので、所望のインキローラにそなえられたインキローラ昇温装置によって、インキローラの温度が上昇してインキローラの周囲の湿度を調整することができるので、インキローラの周囲の湿度の調整度合いを綿密に変化させることが可能になる。したがって、例えば、印刷速度等に応じたインキの除湿要求に対して適切な程度にインキを除湿することが可能になる。
【００３９】
本実施形態の場合、インキローラ昇温装置をインキローラの内部に温水を通水する通水機構により構成しているので、通水する温水の温度や、通水量（単位時間当たりの量）の調整を通じて、インキローラ昇温の程度、従って、湿度を調整する程度を、確実に調整することができる。
【００４０】
［第４実施形態］
次に、本発明の第４実施形態について図面に基づいて説明する。
図６は本発明の第４実施形態に係る印刷機のインキング装置を説明するもので、この図に基づいて説明する。
なお、本実施形態でも、インキング装置を備えた印刷機の印刷ユニット内の要部は、図２に示すように構成されるので、ここでは説明を省略する。
また、本実施形態では、インキローラ１３〜１５（図２参照）の何れかあるいは全てについて湿度調整の対策としてインキローラ昇温装置が装備されている。
【００４１】
つまり、図６に示すように、本実施形態では、適宜のインキローラ、例えば、インキローラ１３〜１５の何れかあるいは全てに（ここでは、インキローラ１５を対象に説明する）、インキローラを軸方向に揺動させることで接触する他のインキローラとの間に熱を発生させる揺動機構によりインキローラ昇温装置が構成されている。
ただし、ここでの揺動は、インキを練るためでなくローラ表面を昇温させるためなので、練りローラの揺動速度に比べて高速で揺動させるものとする。
【００４２】
なお、練りローラの揺動速度を２種以上設けている場合には、特にローラで囲まれた湿度調整対象となる空間に臨んで配置された練りローラを高速揺動するようにすれば、この練りローラのローラ表面が昇温し、該空間の温度を上昇させ湿度を調整（抑制）する役割を果たす。
また、ローラ表面を昇温させるほど湿度を抑制することができるが、ローラ表面を昇温する度合いは、インキローラの軸方向への揺動速度で変更できる。そこで、ここでは、図示しないが、インキローラの軸方向への揺動速度を変更することで、インキローラ表面の温度状態を変更し、湿度抑制効果を調整するようにしている。
【００４３】
本発明の第４実施形態にかかる印刷機のインキング装置は上述のように構成されているので、第３実施形態と同様に、所望のインキローラにそなえられたインキローラ昇温装置によって、インキローラの温度が上昇してインキローラの周囲の湿度を調整することができるので、インキローラの周囲の湿度の調整度合いを綿密に変化させることが可能になる。したがって、例えば、印刷速度等に応じたインキの除湿要求に対して適切な程度にインキを除湿することが可能になる。
【００４４】
つまり、ローラ表面の温度が上昇するとローラ表面のインキ中の水分の蒸発を促すことができる。また、複数のローラに囲まれた空間内の温度上昇に伴い露点も上昇するので、ローラ表面の水分吸着を抑制することができる。
本実施形態の場合、インキローラ昇温装置を、インキローラ間に熱を発生させるローラ揺動機構により構成しているので、簡素な構成で、インキローラの周囲の湿度を調整することが可能になる。
【００４５】
［第５実施形態］
次に、本発明の第５実施形態について図面に基づいて説明する。
図７は本発明の第５実施形態に係る印刷機のインキング装置を説明するもので、この図に基づいて説明する。
なお、本実施形態でも、インキング装置を備えた印刷機の印刷ユニット内の要部は、図２に示すように構成されるので、ここでは説明を省略する。
また、本実施形態では、インキローラ１３〜１５（図２参照）に囲まれた空間に、この空間内の湿度を調整するために、第１実施形態で備えられた湿度調整ファン（除湿ファン）２１、若しくは、第２実施形態で備えられた湿度調整ファン（除湿ファン）２１Ａが装備されているものとする。
【００４６】
本実施形態の場合、湿度調整ファン２１，２１Ａの端部に、湿度調整ファン２１，２１Ａの回転軸２５の外側で翼２７，２７Ａの内側に有する中空部２６内に空気を送風する送風ファン４０を有している。
つまり、この送風ファン４０により、中空部２６内に空気を送風すると、翼２７，２７Ａその外周方向に発生する風量（風速）を増大させることができ、ここでは、除湿要求情報に応じてコントローラによって送風ファン４０の作動や停止、及び、作動時の風量（風速）を制御されるものとする。
【００４７】
本発明の第５実施形態にかかる印刷機のインキング装置は上述のように構成されているので、回転軸２５が印刷速度に応じた回転速度で回転すると、翼２７の場合は、回転速度に応じた翼２７からの風量（風速）の変化及び回転速度に応じた翼２７のピッチ変化に応じた翼２７からの風量（風速）の変化に加えて、翼２７Ａの場合は、回転速度に応じた翼２７Ａからの風量（風速）の変化に加えて、送風ファン４０の送風の風量（風速）に応じた２７Ａからの風量（風速）の変化が得られるので、インキの湿度を常に最適な状態に管理できるようになり、良好な印刷品質を確保することができる。
【００４８】
特に、第１実施形態の湿度調整ファン（除湿ファン）２１に本実施形態の送風ファン４０を適用すれば、湿度の調整度合いをより一層綿密に変化させることが可能である。
また、第２実施形態の湿度調整ファン（除湿ファン）２１Ａに第２実施形態の変速機を適用したものに、本実施形態の送風ファン４０を適用しても、湿度の調整度合いをより一層綿密に変化させることが可能である。
【００４９】
［第６実施形態］
次に、本発明の第６実施形態について図面に基づいて説明する。
図８は本発明の第６実施形態に係る印刷機のインキング装置を説明するもので、この図に基づいて説明する。
なお、本実施形態でも、インキング装置を備えた印刷機の印刷ユニット内の要部は、図２に示すように構成されるので、ここでは説明を省略する。
また、本実施形態では、第１実施形態で備えられた湿度調整ファン（除湿ファン）２１、若しくは、第２実施形態で備えられた湿度調整ファン（除湿ファン）２１Ａが装備されているものとする。
【００５０】
図８に示すように、本実施形態では、インキローラ群９の中流域のインキロータ１５に最上流のインキ壷８とは別の第２のインキ壷１０８が備えられている。このインキ壷１０８でも、内部に貯留されたインキを、底部に印刷幅方向に複数並んで備えられた各インキキー１１１とインキ元ローラ１１０との隙間からインキ元ローラ１１０の外周面に供給し、さらに、インキローラ群９の中流域のインキローラ１５とインキ元ローラ１１０との間を往復動するインキ呼出ローラ１１７によって、インキローラ群９に供給される。ただし、インキ壷１０８は蓋１１２で密閉されている。
【００５１】
なお、インキ壷８及びインキ壷１０８からのインキ供給量は、連携して制御される。つまり、インキ壷８からのインキは供給経路の長さに起因して湿度が高くなりやすく、版胴１に近づくに従って比較的高湿度のインキとなるが、インキ壷１０８は供給経路の長さが短いのに加えて蓋１１２で密閉されていることから水分流入が少なく、版胴１に近づいても比較的低湿度のインキとなる。そこで、必要なインキ水分量に応じて、インキ壷８及びインキ壷１０８からのインキ供給量は、連携して制御する。
【００５２】
インキ供給量制御は、具体的には、インキキー１１１の開度制御、インキ元ローラ１１０の回転速度制御、インキ呼出ローラ１１７の往復動速度制御のいずれか、或いはこれらの組み合わせを採用できるが、本制御は、印刷幅方向には均一の制御とできるので、印刷幅方向に部分的にインキ供給量を変更できるインキキー１１１の開度制御は用いずに、インキ元ローラ１１０の回転速度制御、或いは、インキ呼出ローラ１１７の往復動速度制御が好適と考えられる。
【００５３】
本発明の第６実施形態にかかる印刷機のインキング装置は上述のように構成されているので、第１，２実施形態の効果に加えて、インキ壷８及びインキ壷１０８からのインキ供給量を連携して制御しながら、版胴１に供給されるインキの湿度をより適切に調整することができる。
したがって、インキを要求される湿度状態に適切に調整することが可能になり、印刷品質の向上に寄与しうる。
【００５４】
なお、本実施形態では、第１実施形態で備えられた湿度調整ファン（除湿ファン）２１、若しくは、第２実施形態で備えられた湿度調整ファン（除湿ファン）２１Ａが装備されているものに、第２のインキ壷１０８を付加しているが、この第２のインキ壷１０８を付加するだけでも、版胴１に供給されるインキの湿度をより適切に調整することができ、有効である。
【００５５】
［その他］
以上、本発明の各実施形態について説明したが、本発明はかかる実施形態に限定されることなく、本発明の趣旨を逸脱しない範囲で適宜変更して実施しうるものである。
つまり、本発明は、インキローラ群のうちの複数のインキローラに囲まれた空間に配置して、この空間内の湿度を調整する湿度調整装置をそなえるようにして、湿度調整装置によって、印刷速度等に応じたインキの除湿要求に対して適切な程度にインキを除湿するようにすればよく、上記の実施形態に限定されない。
【００５６】
また、上記の各実施形態の要部或いは全部を、適宜組み合わせてもよい。
例えば、第１実施形態の可変ピッチ翼を有する湿度調整ファンに第２実施形態の変速機を組み合わせ、さらに、第５実施形態の送風ファン４０を組み合わせ、また、湿度調整ファンの設けられないインキローラ等に、第３実施形態及び／又は第４実施形態のインキローラ昇温装置を適用し、さらに、第６実施形態の第２のインキ壷１０８を適用することも考えられる。
【００５７】
もちろん、このように全ての実施形態を組み合わせなくてもよい、
また、本発明は、かかるインキング装置を装備する種々の印刷機に適用できる。
【図面の簡単な説明】
【００５８】
【図１】本発明の第１実施形態にかかる湿度調整ファンの要部（一端部）を示す図であって、（ａ）はその斜視図、（ｂ）はその側面図、（ｃ）はその側面図の要部拡大図である。
【図２】本発明の第１実施形態にかかるインキング装置を備えた印刷機の印刷ユニット内の要部を側面視で示す構成図である。
【図３】本発明の第１実施形態にかかる湿度調整ファンの効果を示すグラフである。
【図４】本発明の第２実施形態にかかる湿度調整ファンの要部（一端部）を示す斜視図であり、（ａ）は変速比が低い（低速）状態を示し、（ｂ）は変速比が高い（高速）状態を示す。
【図５】本発明の第３実施形態にかかるインキローラを示す斜視図である。
【図６】本発明の第４実施形態にかかるインキローラを示す斜視図である。
【図７】本発明の第５実施形態にかかる湿度調整ファンの要部（一端部）を示す斜視図である。
【図８】本発明の第６実施形態にかかるインキング装置を備えた印刷機の印刷ユニット内の要部を側面視で示す構成図である。
【符号の説明】
【００５９】
１  版胴
１ａ  刷版表面
２  湿し装置（湿し水供給装置）
３  インキング装置（インキ供給装置）
４  水舟
５  水元ローラ
６  水練りローラ
７  水着けローラ
８  インキ供給源としてのインキ壷
９  インキローラ群
１０  インキ元ローラ
１１  インキキー
１２  インキ着けローラ
１３〜１６，１８〜２０  インキローラ
１７  インキ呼出ローラ
２１，２１Ａ  湿度調整ファン（除湿ファン）
２３  ホイール状支持部材
２４  ステー
２５  回転軸
２６  中空部
２７  可変ピッチ翼
２７Ａ  固定翼
２８  ピン
２９  バネ
２９ａ，２９ｂ  ピン部
３０  ベルト式無段変速機
３１，３２  プーリ装置
３３  ベルト
３４  回転軸
４０  送風ファン
１０８  第２のインキ壷
１１０  インキ元ローラ
１１１  インキキー
１１２  蓋
１１７  インキ呼出ローラ
【図１】
2009202486.tif 000003
【図２】
2009202486.tif 000004
【図３】
2009202486.tif 000005
【図４】
2009202486.tif 000006
【図５】
2009202486.tif 000007
【図６】
2009202486.tif 000008
【図７】
2009202486.tif 000009
【図８】
2009202486.tif 000010